(57)【要約】【課題】テレビジョン受像機において、ネットサービスのコンテンツを視聴するときに、自動的に、アンプをパワーオンにする。【解決手段】テレビジョン受像機は、ネットサービスＡの起動操作がなされたとき（＃１でＹＥＳ）、ネットサービスＡに対するオートパワーオン機能が有効に設定されていれば（＃２でＹＥＳ）、アンプをＣＥＣコマンドでパワーオンし（＃３）、ネットサービスＡに対するオートパワーオン機能が有効に設定されていなければ（＃２でＮＯ）、アンプをパワーオンしない。また、テレビジョン受像機は、ネットサービスＡの終了操作がなされたとき（＃１１でＹＥＳ）、ネットサービスＡに対するオートパワーオフ機能が有効に設定されていれば（＃１２でＹＥＳ）、アンプをＣＥＣコマンドでパワーオフし（＃１３）、ネットサービスＡに対するオートパワーオフ機能が有効に設定されていなければ（＃１２でＮＯ）、アンプをパワーオフしない。【選択図】図４
2012095141.tif 000002
【特許請求の範囲】
【請求項１】
インターネットに接続されると共にアンプが接続されて使用され、インターネットを介してコンテンツを配信するサービスであるネットサービスのコンテンツを受信して、該ネットサービスのコンテンツの画像を自機のディスプレイに表示すると共に、該ネットサービスのコンテンツの音声を自機のスピーカ又は前記アンプに接続されるスピーカから出力するテレビジョン受像機において、
前記アンプをパワーオン及びパワーオフする制御手段と、
ユーザによる操作を受けて、前記ネットサービスのコンテンツの受信開始時に前記アンプを自動的にパワーオンする機能であるネットサービス連動オートパワーオン機能を有効にするか否か、及び前記ネットサービスのコンテンツの受信終了時に前記アンプを自動的にパワーオフする機能であるネットサービス連動オートパワーオフ機能を有効にするか否かを設定する設定手段とを備え、
前記制御手段は、
前記ネットサービスのコンテンツの受信を開始するとき、前記ネットサービス連動オートパワーオン機能が前記設定手段により有効に設定されていれば、前記アンプをパワーオンし、前記ネットサービス連動オートパワーオン機能が前記設定手段により有効に設定されていなければ、前記アンプをパワーオンせず、
前記ネットサービスのコンテンツの受信を終了するとき、前記ネットサービス連動オートパワーオフ機能が前記設定手段により有効に設定されていれば、前記アンプをパワーオフし、前記ネットサービス連動オートパワーオフ機能が前記設定手段により有効に設定されていなければ、前記アンプをパワーオフしない、
ことを特徴とするテレビジョン受像機。
【請求項２】
前記設定手段は、前記ネットサービスの種類毎に、前記ネットサービス連動オートパワーオン機能を有効にするか否か、及び前記ネットサービス連動オートパワーオフ機能を有効にするか否かを設定し、
前記制御手段は、
前記ネットサービスのコンテンツの受信を開始するとき、そのネットサービスに対する前記ネットサービス連動オートパワーオン機能が前記設定手段により有効に設定されていれば、前記アンプをパワーオンし、そのネットサービスに対する前記ネットサービス連動オートパワーオン機能が前記設定手段により有効に設定されていなければ、前記アンプをパワーオンせず、
前記ネットサービスのコンテンツの受信を終了するとき、そのネットサービスに対する前記ネットサービス連動オートパワーオフ機能が前記設定手段により有効に設定されていれば、前記アンプをパワーオフし、そのネットサービスに対する前記ネットサービス連動オートパワーオフ機能が前記設定手段により有効に設定されていなければ、前記アンプをパワーオフしない、
ことを特徴とする請求項１に記載のテレビジョン受像機。
【請求項３】
前記設定手段は、
前記ネットサービス連動オートパワーオン機能を有効にするか否か、及び前記ネットサービス連動オートパワーオフ機能を有効にするか否かをユーザに選択させるための設定メニュー画面を表示し、
ユーザによる前記ネットサービス連動オートパワーオン機能を有効にするか否かを選択する操作、及び前記ネットサービス連動オートパワーオフ機能を有効にするか否かを選択する操作を受けて、前記ネットサービス連動オートパワーオン機能を有効にするか否か、及び前記ネットサービス連動オートパワーオフ機能を有効にするか否かを設定する、
ことを特徴とする請求項１に記載のテレビジョン受像機。
【請求項４】
前記制御手段は、ＣＥＣ（Consumer Electronics Control）コマンドにより、前記アンプをパワーオン及びパワーオフする、
ことを特徴とする請求項１に記載のテレビジョン受像機。
【発明の詳細な説明】
【技術分野】
【０００１】
本発明は、テレビジョン放送局から配信されるテレビジョン信号を受信して、テレビジョン信号による画像を表示すると共に、テレビジョン信号による音声を出力するテレビジョン受像機に関するものである。
【背景技術】
【０００２】
従来から、テレビジョン受像機において、外部機器として、ＤＶＤプレイヤ及びアンプを接続して使用できるものがある。ＤＶＤプレイヤは、ＨＤＭＩ（High Definition Multimedia Interface）ケーブルを介して、テレビジョン受像機に接続され、アンプは、ＳＰＤＩＦ（Sony Philips Digital Interface Format）ケーブル及びＨＤＭＩケーブルを介して、テレビジョン受像機に接続される。アンプには、スピーカが接続される。また、このようなテレビジョン受像機において、インターネットに接続されて使用できるものがある。
【０００３】
このようなテレビジョン受像機では、テレビジョン受像機のＣＥＣ（Consumer Electronics Control）機能、及びアンプのＣＥＣ機能をオンにしていると共に、ＣＥＣ機能におけるオートパワーオン／オートパワーオフ機能を有効にしていると、テレビジョン受像機のパワーオン／パワーオフに連動して、自動的に、アンプがパワーオン／パワーオフする。
【０００４】
一方、スリープタイマ機能により自己の主電源をオフにする際に、接続されている他の電子機器の主電源もオフにするようにしたテレビジョン受像機が知られている（例えば特許文献１参照）。また、テレビジョン受像機へ入力される映像及び音声信号の入力経路を判定し、その入力経路がアンプを経由している場合には、アンプを電源オンのままミュート状態にし、その入力経路がアンプを経由していない場合には、アンプを電源オフにするようにしたテレビジョン受像機が知られている（例えば特許文献２参照）。
【先行技術文献】
【特許文献】
【０００５】
【特許文献１】特開２００９−２６０７２７号公報
【特許文献２】特開２００９−１００３２９号公報
【発明の概要】
【発明が解決しようとする課題】
【０００６】
しかしながら、全てのユーザが、テレビジョン受像機のパワーオン／パワーオフとアンプのパワーオン／パワーオフを連動させたいと考えているとは限らない。ユーザによっては、テレビジョン受像機により受信したテレビジョン信号によるコンテンツを視聴するときや、ＤＶＤプレイヤ（外部機器）から供給されるコンテンツを視聴するときには、アンプを使用せずに（テレビジョン受像機に備え付けのスピーカを使用し）、ネットサービス（インターネットを介してコンテンツを配信するサービス）のコンテンツを視聴するときにのみ、アンプを使用したいというニーズもある。なお、上述した特許文献１又は特許文献２に開示の内容を適用したとしても、上記の問題を解決することはできない。
【０００７】
本発明は、上記課題を解決するためになされたものであり、ネットサービスのコンテンツを視聴するときに、自動的に、アンプをパワーオンにすることができるテレビジョン受像機を提供することを目的とする。
【課題を解決するための手段】
【０００８】
上記目的を達成するために請求項１の発明は、インターネットに接続されると共にアンプが接続されて使用され、インターネットを介してコンテンツを配信するサービスであるネットサービスのコンテンツを受信して、該ネットサービスのコンテンツの画像を自機のディスプレイに表示すると共に、該ネットサービスのコンテンツの音声を自機のスピーカ又はアンプに接続されるスピーカから出力するテレビジョン受像機において、アンプをパワーオン及びパワーオフする制御手段と、ユーザによる操作を受けて、ネットサービスのコンテンツの受信開始時にアンプを自動的にパワーオンする機能であるネットサービス連動オートパワーオン機能を有効にするか否か、及びネットサービスのコンテンツの受信終了時にアンプを自動的にパワーオフする機能であるネットサービス連動オートパワーオフ機能を有効にするか否かを設定する設定手段とを備え、制御手段は、ネットサービスのコンテンツの受信を開始するとき、ネットサービス連動オートパワーオン機能が設定手段により有効に設定されていれば、アンプをパワーオンし、ネットサービス連動オートパワーオン機能が設定手段により有効に設定されていなければ、アンプをパワーオンせず、ネットサービスのコンテンツの受信を終了するとき、ネットサービス連動オートパワーオフ機能が設定手段により有効に設定されていれば、アンプをパワーオフし、ネットサービス連動オートパワーオフ機能が設定手段により有効に設定されていなければ、アンプをパワーオフしないものである。
【０００９】
請求項２の発明は、請求項１に記載のテレビジョン受像機において、設定手段は、ネットサービスの種類毎に、ネットサービス連動オートパワーオン機能を有効にするか否か、及びネットサービス連動オートパワーオフ機能を有効にするか否かを設定し、制御手段は、ネットサービスのコンテンツの受信を開始するとき、そのネットサービスに対するネットサービス連動オートパワーオン機能が設定手段により有効に設定されていれば、アンプをパワーオンし、そのネットサービスに対するネットサービス連動オートパワーオン機能が設定手段により有効に設定されていなければ、アンプをパワーオンせず、ネットサービスのコンテンツの受信を終了するとき、そのネットサービスに対するネットサービス連動オートパワーオフ機能が設定手段により有効に設定されていれば、アンプをパワーオフし、そのネットサービスに対するネットサービス連動オートパワーオフ機能が設定手段により有効に設定されていなければ、アンプをパワーオフしないものである。
【００１０】
請求項３の発明は、請求項１に記載のテレビジョン受像機において、設定手段は、ネットサービス連動オートパワーオン機能を有効にするか否か、及びネットサービス連動オートパワーオフ機能を有効にするか否かをユーザに選択させるための設定メニュー画面を表示し、ユーザによるネットサービス連動オートパワーオン機能を有効にするか否かを選択する操作、及びネットサービス連動オートパワーオフ機能を有効にするか否かを選択する操作を受けて、ネットサービス連動オートパワーオン機能を有効にするか否か、及びネットサービス連動オートパワーオフ機能を有効にするか否かを設定するものである。
【００１１】
請求項４の発明は、請求項１に記載のテレビジョン受像機において、制御手段は、ＣＥＣ（Consumer Electronics Control）コマンドにより、アンプをパワーオン及びパワーオフするものである。
【発明の効果】
【００１２】
請求項１乃至請求項４の発明によれば、ネットサービス連動オートパワーオン機能を有効に設定しておくことにより、ネットサービスのコンテンツの受信開始時に、自動的に、アンプをパワーオンにする（アンプが使用されるようにする）ことができる。また、ネットサービス連動オートパワーオフ機能を有効に設定しておくことにより、ネットサービスのコンテンツの受信終了時に、自動的に、アンプをパワーオフにする（アンプが使用されないようにする）ことができる。すなわち、ネットサービスのコンテンツを視聴するときに、自動的に、アンプが使用されると共に、ネットサービスのコンテンツを視聴しないとき（テレビジョン信号によるコンテンツや外部機器から供給されるコンテンツを視聴するとき）に、自動的に、アンプが使用されないようにすることができる。従って、ネットサービスのコンテンツを視聴するときにのみアンプを使用したいというユーザにとって、利便性が高い。
【図面の簡単な説明】
【００１３】
【図１】本発明の一実施形態に係るテレビジョン受像機と画像表示装置との接続構成例を示す図。
【図２】同テレビジョン受像機の電気的ブロック構成図。
【図３】同テレビジョン受像機のネットサービス連動オートパワーオン機能を有効にするか否か、及びネットサービス連動オートパワーオフ機能を有効にするか否かを設定するための設定メニュー画面を示す図。
【図４】（ａ）は同テレビジョン受像機のネットサービスＡのコンテンツの受信を開始するときの動作を示すフローチャート、（ｂ）は同テレビジョン受像機のネットサービスＡのコンテンツの受信を終了するときの動作を示すフローチャート。
【発明を実施するための形態】
【００１４】
以下、本発明を具体化した実施形態によるテレビジョン受像機について図面を参照して説明する。図１は、本実施形態によるテレビジョン受像機と外部機器及びインターネットとの接続構成例を示す。
【００１５】
テレビジョン受像機１は、テレビジョン放送局から配信されるテレビジョン信号を受信して、テレビジョン信号によるコンテンツの画像を表示すると共に、テレビジョン信号によるコンテンツの音声を出力する機器である。テレビジョン受像機１は、アンテナ２に接続されており、アンテナ２を介してテレビジョン信号を受信するようになっている。
【００１６】
このテレビジョン受像機１は、インターネット３に接続されて使用されるようになっている。テレビジョン受像機１は、通信ケーブル４を介して、インターネット３に接続されている。テレビジョン受像機１は、インターネット３から通信ケーブル４を介してネットサービスのコンテンツを受信して、そのコンテンツの画像を表示すると共に、そのコンテンツの音声を出力することができるようになっている。ここでは、ネットサービスとは、インターネット３を介してコンテンツを配信するサービスを意味し、例えばＶＯＤ（ビデオオンデマンド）のサービスである。
【００１７】
また、このテレビジョン受像機１は、外部機器として、ＤＶＤプレイヤ５が接続されて使用されるようになっている。ＤＶＤプレイヤ５は、ＤＶＤに記録されている記録データを読取って、その読取った記録データによるコンテンツを供給する装置である。ＤＶＤプレイヤ５は、ＨＤＭＩ（High Definition Multimedia Interface）ケーブル６ａを介して、テレビジョン受像機１に接続されている。ＤＶＤプレイヤ５は、ＤＶＤから読取った記録データによるコンテンツの画像信号及び音声信号をＨＤＭＩケーブル６ａに送信するようになっている。また、ＤＶＤプレイヤ５は、ＨＤＭＩケーブル６ａを介してＣＥＣ（Consumer Electronics Control）コマンドを受信して、その受信したＣＥＣコマンドに基いて、ＤＶＤプレイヤ５の各種動作を制御するようになっている。
【００１８】
テレビジョン受像機１は、ＨＤＭＩケーブル６ａを介して画像信号及び音声信号を受信して、その画像信号による画像を表示すると共に、その音声信号による音声を出力する機能を有している。すなわち、テレビジョン受像機１は、ＤＶＤプレイヤ５からＨＤＭＩケーブル６ａを介して画像信号及び音声信号を受信することにより、ＤＶＤプレイヤ５からコンテンツの供給を受けて、そのコンテンツの画像を表示すると共に、そのコンテンツの音声を出力することができるようになっている。また、テレビジョン受像機１は、ＣＥＣコマンドをＨＤＭＩケーブル６ａに送信する機能を有している。すなわち、テレビジョン受像機１は、ＣＥＣコマンドをＨＤＭＩケーブル６ａを介してＤＶＤプレイヤ５に送信することにより、ＤＶＤプレイヤ５の各種動作を制御することができるようになっている。
【００１９】
また、このテレビジョン受像機１は、別の外部機器として、アンプ７が接続されて使用されるようになっている。アンプ７には、スピーカ８が接続されている。アンプ７は、音声信号を受信して、その音声信号を増幅してによる音声をスピーカ８へ出力する装置である。アンプ７は、ＳＰＤＩＦ（Sony Philips Digital Interface Format）ケーブル９及びＨＤＭＩケーブル６ｂを介して、テレビジョン受像機１に接続されている。アンプ７は、ＳＰＤＩＦケーブル９を介して音声信号を受信して、その受信した音声信号を増幅してスピーカ５へ出力するようになっている。また、アンプ７は、ＨＤＭＩケーブル６ｂを介してＣＥＣコマンドを受信して、その受信したＣＥＣコマンドに基いて、アンプ７の各種動作を制御するようになっている。
【００２０】
テレビジョン受像機１は、音声信号をＳＰＤＩＦケーブル９に送信する機能を有している。すなわち、テレビジョン受像機１は、音声信号をＳＰＤＩＦケーブル９を介してアンプ７に送信することにより、アンプ７に接続されているスピーカ８から音声を出力することができるようになっている。また、テレビジョン受像機１は、ＣＥＣコマンドをＨＤＭＩケーブル６ｂに送信する機能を有している。すなわち、テレビジョン受像機１は、ＣＥＣコマンドをＨＤＭＩケーブル６ｂを介してアンプ７に送信して、アンプ７の各種動作を制御することができるようになっている。
【００２１】
テレビジョン受像機１は、画像を表示するためのディスプレイ１１と、音声を出力するためのスピーカ１２と、テレビジョン受像機１の各種動作を行うためにユーザに操作され、その操作内容を示す操作信号を赤外線によって送信するリモコン１３と、リモコン１３から送信される操作信号を受信するリモコン受信部１４等を備える。
【００２２】
テレビジョン受像機１は、テレビジョン信号によるコンテンツの画像、ネットサービスのコンテンツの画像、及びＤＶＤプレイヤ５から供給されるコンテンツの画像を、テレビジョン受像機１に備え付けのディスプレイ１１に表示するようになっている。また、テレビジョン受像機１は、テレビジョン信号による音声、ネットサービスのコンテンツの音声、及びＤＶＤプレイヤ５から供給されるコンテンツの音声を、テレビジョン受像機１に備え付けのスピーカ１２又はアンプ７に接続されているスピーカ８から出力するようになっている。
【００２３】
図２は、テレビジョン受像機１の電気的ブロック構成を示す。テレビジョン受像機１は、上述の構成に加え、テレビジョン受信部２１と、ＨＤＭＩ送受信部２２と、インターネット接続部２３と、出力切換部２４と、ＯＳＤ処理部２５と、ＳＰＤＩＦ送信部２６と、テレビジョン受像機１の動作を制御する制御部２７等を備える。
【００２４】
テレビジョン受信部２１は、制御部２７による制御のもと、電波の形態で放送されているテレビジョン信号をアンテナ２を介して受信し、そのテレビジョン信号による画像信号及び音声信号を生成する。ＨＤＭＩ送受信部２２は、ＨＤＭＩケーブル６ａ、６ｂが接続され、制御部２７による制御のもと、画像信号、音声信号、及びＣＥＣコマンド等の各種信号をＨＤＭＩケーブル６ａ、６ｂを介して送信すると共に、ＨＤＭＩケーブル６ａ、６ｂを介して画像信号、音声信号、及びＣＥＣコマンド等の各種信号を受信する。インターネット接続部２３は、通信ケーブル４が接続され、制御部２７による制御のもと、画像信号、音声信号、及び制御信号等の各種信号を通信ケーブル４を介して送信すると共に、通信ケーブル４を介して画像信号、音声信号、及び制御信号等の各種信号を受信する。
【００２５】
出力切換部２４は、制御部２７による制御のもと、画像信号及び音声信号の供給経路を切換える。すなわち、出力切換部２４は、制御部２７による制御のもと、テレビジョン受信部２１により生成された画像信号、ＨＤＭＩ送受信部２２により受信した画像信号、及びインターネット接続部２３により受信した画像信号のいずれかをＯＳＤ処理部２５に供給する。また、出力切換部２４は、制御部２７による制御のもと、テレビジョン受信部２１により生成された音声信号、ＨＤＭＩ送受信部２２により受信した音声信号、及びインターネット接続部２３により受信した音声信号のいずれかをスピーカ１２又はＳＰＤＩＦ送信部２６に供給する。
【００２６】
ＯＳＤ処理部２５は、制御部２７による制御のもと、各種画像をＯＳＤ表示するために、出力切換部２４から供給された画像信号を加工処理し、その加工処理後の画像信号をディスプレイ１１に供給する。また、ＯＳＤ処理部２５は、制御部２７による制御のもと、出力切換部２４から供給された画像信号を加工処理しないときには、出力切換部２４から供給された画像信号をそのままディスプレイ１１に供給する。
【００２７】
ディスプレイ１１は、ＯＳＤ処理部２５から供給された画像信号による画像を表示する。スピーカ１２は、出力切換部２４から供給された音声信号による音声を出力する。ＳＰＤＩＦ送信部２６は、ＳＰＤＩＦケーブル９が接続され、出力切換部２４から供給された音声信号をＳＰＤＩＦケーブル９に送信する。
【００２８】
リモコン１３は、テレビジョン受像機１の各種動作を行うためにユーザに操作され、その操作内容を示す操作信号を赤外線によって送信する。リモコン受信部１４は、リモコン１３から送信される操作信号を受信する。
【００２９】
制御部２７は、記憶しているファームウェアに基いて、また、リモコン受信部１４により受信した操作信号に基いて（すなわち、ユーザによるリモコン１３の操作に基いて）、テレビジョン受像機１の各種動作を制御する。
【００３０】
制御部２７は、テレビジョン信号によるコンテンツを受信する。すなわち、制御部２７は、テレビジョン受信部２１により、アンテナ２から（すなわち、テレビジョン放送局からアンテナ２を介して）テレビジョン信号を受信して、そのテレビジョン信号による画像信号及び音声信号を生成することによって、テレビジョン信号によるコンテンツを受信する。制御部２７は、ユーザによる操作（リモコン１３の操作）を受けて、テレビジョン信号によるコンテンツを受信する。
【００３１】
制御部２７は、ＤＶＤプレイヤ５から供給されるコンテンツを受信する。すなわち、制御部２７は、ＨＤＭＩ送受信部２２により、ＨＤＭＩケーブル６ａから（すなわち、ＤＶＤプレイヤ５からＨＤＭＩケーブル６ａを介して）画像信号及び音声信号を受信することによって、ＤＶＤプレイヤ５から供給されるコンテンツを受信する。制御部２７は、ユーザによる操作（リモコン１３の操作）を受けて、ＤＶＤプレイヤ５から供給されるコンテンツを受信する。
【００３２】
制御部２７は、ネットサービスのコンテンツを受信する。すなわち、制御部２７は、インターネット接続部２３により、通信ケーブル４から（すなわち、インターネット３から通信ケーブル４を介して）ネットサービスのコンテンツの画像信号及び音声信号を受信することによって、ネットサービスのコンテンツを受信する。制御部２７は、ユーザによる操作（リモコン１３の操作）を受けて、ネットサービスのコンテンツを受信する。
【００３３】
また、制御部２７は、テレビジョン信号によるコンテンツの画像、ＤＶＤプレイヤ５から供給されるコンテンツの画像、及びネットサービスのコンテンツの画像をディスプレイ１１に表示する。すなわち、制御部２７は、出力切換部２４により、テレビジョン受信部２１により生成された画像信号をディスプレイ１１に供給することによって、テレビジョン信号によるコンテンツの画像をディスプレイ１１に表示する。また、制御部２７は、出力切換部２４により、ＨＤＭＩ送受信部２２により受信した画像信号をディスプレイ１１に供給することによって、ＤＶＤプレイヤ５から供給されるコンテンツの画像をディスプレイ１１に表示する。また、制御部２７は、出力切換部２４により、インターネット接続部２３により受信した画像信号をディスプレイ１１に供給することによって、ネットサービスのコンテンツの画像をディスプレイ１１に表示する。
【００３４】
また、制御部２７は、テレビジョン信号によるコンテンツの音声、ＤＶＤプレイヤ５から供給されるコンテンツの音声、及びネットサービスのコンテンツの音声をテレビジョン受像機１に備え付けのスピーカ１２から出力する。すなわち、制御部２７は、出力切換部２４により、テレビジョン受信部２１により生成された音声信号をスピーカ１２に供給することによって、テレビジョン信号によるコンテンツの音声をスピーカ１２から出力する。また、制御部２７は、出力切換部２４により、ＨＤＭＩ送受信部２２により受信した音声信号をスピーカ１２に供給することによって、ＤＶＤプレイヤ５から供給されるコンテンツの音声をスピーカ１２から出力する。また、制御部２７は、出力切換部２４により、インターネット接続部２３により受信した音声信号をスピーカ１２に供給することによって、ネットサービスのコンテンツの音声をスピーカ１２から出力する。制御部２７は、アンプ７がパワーオフのときには、自動的に、テレビジョン信号によるコンテンツの音声、ＤＶＤプレイヤ５から供給されるコンテンツの音声、及びネットサービスのコンテンツの音声をテレビジョン受像機１に備え付けのスピーカ１２から出力する。
【００３５】
また、制御部２７は、テレビジョン信号によるコンテンツの音声、ＤＶＤプレイヤ５から供給されるコンテンツの音声、及びネットサービスのコンテンツの音声をアンプ７に接続されているスピーカ８から出力する。すなわち、制御部２７は、出力切換部２４により、テレビジョン受信部２１により生成された音声信号をＳＰＤＩＦ送信部２６に供給して、ＳＰＤＩＦ送信部２６により、その音声信号をＳＰＤＩＦケーブル９に（すなわち、ＳＰＤＩＦケーブル９を介してアンプ７に）送信することによって、テレビジョン信号によるコンテンツの音声をアンプ７に接続されているスピーカ８から出力する（但し、アンプ７がパワーオンのとき）。また、制御部２７は、出力切換部２４により、ＨＤＭＩ送受信部２２により受信した音声信号をＳＰＤＩＦ送信部２６に供給して、ＳＰＤＩＦ送信部２６により、その音声信号をＳＰＤＩＦケーブル９に送信することによって、ＤＶＤプレイヤ５から供給されるコンテンツの音声をアンプ７に接続されているスピーカ８から出力する（但し、アンプ７がパワーオンのとき）。また、制御部２７は、出力切換部２４により、インターネット接続部２３により受信した音声信号をＳＰＤＩＦ送信部２６に供給して、ＳＰＤＩＦ送信部２６により、その音声信号をＳＰＤＩＦケーブル９に送信することによって、ネットサービスのコンテンツの音声をアンプ７に接続されているスピーカ８から出力する（但し、アンプ７がパワーオンのとき）。制御部２７は、アンプ７がパワーオンのときには、自動的に、テレビジョン信号によるコンテンツの音声、ＤＶＤプレイヤ５から供給されるコンテンツの音声、及びネットサービスのコンテンツの音声をアンプ７に接続されているスピーカ８から出力する。
【００３６】
また、制御部２７は、ＣＥＣコマンドにより、アンプ７をパワーオン及びパワーオフする。すなわち、制御部２７は、ＨＤＭＩ送受信部２２により、アンプ７をパワーオンする旨のＣＥＣコマンドをＨＤＭＩケーブル６ｂに（すなわち、ＨＤＭＩケーブル６ｂを介してアンプ７に）送信することによって、アンプ７をパワーオンする。また、制御部２７は、ＨＤＭＩ送受信部２２により、アンプ７をパワーオフする旨のＣＥＣコマンドをＨＤＭＩケーブル６ｂに（すなわち、ＨＤＭＩケーブル６ｂを介してアンプ７に）送信することによって、アンプ７をパワーオフする。制御部２７は、ユーザによる操作（リモコン１３の操作）を受けて、アンプ７をパワーオン及びパワーオフする。また、制御部２７は、ネットサービスのコンテンツの受信を開始するとき及びネットサービスのコンテンツの受信を終了するときに、後述するネットサービス連動オートパワーオン機能及びネットサービス連動オートパワーオフ機能の設定状況に応じて、自動的に、アンプ７をパワーオン及びパワーオフする。制御部２７によって、制御手段が構成されている。
【００３７】
また、制御部２７は、ネットサービス連動オートパワーオン機能を有効にするか否か、及びネットサービス連動オートパワーオフ機能を有効にするか否かを設定する。ネットサービス連動オートパワーオン機能とは、ネットサービスのコンテンツの受信開始時にアンプ７を自動的にパワーオンする機能である。ネットサービス連動オートパワーオフ機能とは、ネットサービスのコンテンツの受信終了時にアンプ７を自動的にパワーオフする機能である。制御部２７は、ユーザによる操作（リモコン１３の操作）を受けて、ネットサービスの種類毎に、ネットサービス連動オートパワーオン機能を有効にするか否か、及びネットサービス連動オートパワーオフ機能を有効にするか否かを設定する。制御部２７によって、設定手段が構成されている。
【００３８】
ネットサービス連動オートパワーオン機能を有効にするか否か、及びネットサービス連動オートパワーオフ機能を有効にするか否かの設定において、制御部２７は、ネットサービス連動オートパワーオン機能を有効にするか否か、及びネットサービス連動オートパワーオフ機能を有効にするか否かをユーザに選択させるための設定メニュー画面を表示する。すなわち、制御部２７は、ＯＳＤ処理部２５により、設定メニュー画面をＯＳＤ表示するように画像信号を加工処理させることにより、設定メニュー画面をディスプレイ１１に表示する。そして、制御部２７は、ユーザによるネットサービス連動オートパワーオン機能を有効にするか否かを選択する操作、及びネットサービス連動オートパワーオフ機能を有効にするか否かを選択する操作を受けて、ネットサービス連動オートパワーオン機能を有効にするか否か、及びネットサービス連動オートパワーオフ機能を有効にするか否かを設定する。
【００３９】
図３は、ネットサービス連動オートパワーオン機能を有効にするか否か、及びネットサービス連動オートパワーオフ機能を有効にするか否かを設定するための設定メニュー画面を示す。設定メニュー画面３０は、ネットサービス連動オートパワーオン機能を有効にするか否か、及びネットサービス連動オートパワーオフ機能を有効にするか否かをユーザに選択させるための画面である。図示の例は、ネットサービスとして、２種類のものが利用可能な場合についてのものである。
【００４０】
設定メニュー画面３０は、ネットサービス連動オートパワーオン機能についての設定であることを示す「オートパワーオン」の文字の横に、利用可能なネットサービスの種類（ネットサービスの名称）を示す「ネットサービスＡ」「ネットサービスＢ」の文字が表示され、さらに、「ネットサービスＡ」「ネットサービスＢ」の各文字の横に、ネットサービス連動オートパワーオン機能を有効にするか否かを選択するための「□」の選択枠が表示されている。
【００４１】
また、設定メニュー画面３０は、ネットサービス連動オートパワーオフ機能についての設定であることを示す「オートパワーオフ」の文字の横に、利用可能なネットサービスの種類を示す「ネットサービスＡ」「ネットサービスＢ」の文字が表示され、さらに、「ネットサービスＡ」「ネットサービスＢ」の各文字の横に、ネットサービス連動オートパワーオフ機能を有効にするか否かを選択するための「□」の選択枠が表示されている。
【００４２】
すなわち、設定メニュー画面３０は、ネットサービスの種類毎に、ネットサービス連動オートパワーオン機能を有効にするか否か、及びネットサービス連動オートパワーオフ機能を有効にするか否か、を選択できる画面になっている。図示の例では、ネットサービスＡについて、ネットサービス連動オートパワーオン機能を有効にすることが選択されている。
【００４３】
制御部２７は、ユーザによる操作（リモコン１３の操作）を受けて、設定メニュー画面を表示する。ネットサービスの種類毎の、ネットサービス連動オートパワーオン機能を有効にするか否か、及びネットサービス連動オートパワーオフ機能を有効にするか否かの選択は、リモコン１３を操作することにより行われる。制御部２７は、この選択を受けて、ネットサービスの種類毎に、ネットサービス連動オートパワーオン機能を有効にするか否か、及びネットサービス連動オートパワーオフ機能を有効にするか否かを設定する。
【００４４】
図４（ａ）は、テレビジョン受像機１のネットサービスＡのコンテンツの受信を開始するときの動作フローチャートを示し、図４（ｂ）は、テレビジョン受像機１のネットサービスＡのコンテンツの受信を終了するときの動作フローチャートを示す。
【００４５】
制御部２７は、ユーザによりネットサービスＡの起動操作がなされると（すなわち、ネットサービスＡのコンテンツの受信を開始するとき）（＃１でＹＥＳ）、ネットサービスＡに対するオートパワーオン機能（ネットサービス連動オートパワーオン機能）が有効に設定されているか否かを判断する（＃２）。ここで、ネットサービスＡに対するオートパワーオン機能が有効に設定されていれば（＃２でＹＥＳ）、制御部２７は、アンプ７をＣＥＣコマンドでパワーオンする（＃３）。一方、ネットサービスＡに対するオートパワーオン機能が有効に設定されていなければ（＃２でＮＯ）、制御部２７は、アンプ７をパワーオンしない。そして、制御部２７は、ネットサービスＡのコンテンツの受信を開始する（＃４）。
【００４６】
ネットサービスＡのコンテンツを受信することにより、ネットサービスＡのコンテンツの画像がディスプレイ１１に表示される。また、アンプ７がパワーオンのとき（＃３でアンプ７をパワーオンしたとき）には、ネットサービスＡのコンテンツの音声がアンプ７に接続されているスピーカ８から出力され、アンプ７がパワーオフのとき（＃３でアンプ７をパワーオンしなかったとき）には、ネットサービスＡのコンテンツの音声がテレビジョン受像機１に備え付けのスピーカ１２から出力される。
【００４７】
また、制御部２７は、ユーザによりネットサービスＡの終了操作がなされると（すなわち、ネットサービスＡのコンテンツの受信を終了するとき）（＃１１でＹＥＳ）、ネットサービスＡに対するオートパワーオフ機能（ネットサービス連動オートパワーオフ機能）が有効に設定されているか否かを判定する（＃１２）。ここで、ネットサービスＡに対するオートパワーオフ機能が有効に設定されていれば（＃１２でＹＥＳ）、アンプ７をＣＥＣコマンドでパワーオフする（＃１３）。一方、ネットサービスＡに対するオートパワーオフ機能が有効に設定されていなければ（＃１２でＮＯ）、制御部２７は、アンプ７をパワーオフしない。そして、制御部２７は、ネットサービスＡのコンテンツの受信を終了する（＃１４）。
【００４８】
なお、ネットサービスＢのコンテンツの受信を開始するときの動作、及びネットサービスＢのコンテンツの受信を終了するときの動作は、ネットサービスＢに対するネットサービス連動オートパワーオン機能及びネットサービス連動オートパワーオフ機能の設定内容に応じて、上記と同様に行われる。
【００４９】
このような構成のテレビジョン受像機１によれば、ネットサービス連動オートパワーオン機能を有効に設定しておくことにより、ネットサービスのコンテンツの受信開始時に、自動的に、アンプ７をパワーオンにする（アンプ７が使用されるようにする）ことができる。また、ネットサービス連動オートパワーオフ機能を有効に設定しておくことにより、ネットサービスのコンテンツの受信終了時に、自動的に、アンプ７をパワーオフにする（アンプ７が使用されないようにする）ことができる。すなわち、ネットサービスのコンテンツを視聴するときに、自動的に、アンプ７が使用されると共に、ネットサービスのコンテンツを視聴しないとき（テレビジョン信号によるコンテンツやＤＶＤプレイヤ５から供給されるコンテンツを視聴するとき）に、自動的に、アンプ７が使用されないようにすることができる。従って、ネットサービスのコンテンツを視聴するときにのみアンプ７を使用したいというユーザにとって、利便性が高い。
【００５０】
しかも、ネットサービスの種類毎に、ネットサービス連動オートパワーオン機能を有効にするか否か、及びネットサービス連動オートパワーオフ機能を有効にするか否かを設定することができる。これにより、ネットサービスの種類毎に、ネットサービスのコンテンツを視聴するときに、自動的に、アンプ７を使用すると共に、ネットサービスのコンテンツを視聴しないときに、自動的に、アンプ７を使用しないようにすることができる。従って、より一層、利便性が高い。
【００５１】
また、ネットサービスの種類毎に、ネットサービス連動オートパワーオン機能を有効にするか否か、及びネットサービス連動オートパワーオフ機能を有効にするか否かをユーザに選択させるための設定メニュー画面３０が表示される。従って、ユーザは、この設定メニュー画面３０によって、容易に、ネットサービスの種類毎に、ネットサービス連動オートパワーオン機能を有効に設定するか否か、及びネットサービス連動オートパワーオフ機能を有効に設定するか否かを設定することができ、使い勝手が良い。
【００５２】
なお、本発明は、上記実施形態の構成に限られず、種々の変形が可能である。例えば、設定メニュー画面は、上記実施形態で説明した画面に限られず、他の形態の画面であってもよい。また、設定メニュー画面は、ネットサービスのコンテンツの受信開始時や受信終了時に自動的に表示されるようにしてもよい。
【符号の説明】
【００５３】
１    テレビジョン受像機
２    アンテナ
３    インターネット
４    通信ケーブル
５    ＤＶＤプレイヤ
６ａ、６ｂ    ＨＤＭＩケーブル
７    アンプ
８    スピーカ
９    ＳＰＤＩＦケーブル
１１    ディスプレイ
１２    スピーカ
１３    リモコン
１４    リモコン受信部
２１    テレビジョン受信部
２２    ＨＤＭＩ送受信部
２３    インターネット接続部
２４    出力切換部
２５    ＯＳＤ処理部
２６    ＳＰＤＩＦ送信部
２７    制御部（制御手段、設定手段）
３０    設定メニュー画面
【図１】
2012095141.tif 000003
【図２】
2012095141.tif 000004
【図３】
2012095141.tif 000005
【図４】
2012095141.tif 000006